(57)【要約】【課題】稀土鉱石、トルマリン等に含まれるトリウム、ウラン系列核種等は放射性壊変によってα線、β線や、残留核を発生し、酸素、水、燃料等と反応して、その化学結合やファンデルワールス力を切断し、マイナスイオン等の化学種を発生する。この性質と、海面下２００メートル以上の深海から取水した深層海水、湧昇海水または、深層水を濃縮して得られる苦汁を組み合わせることで燃焼機関の燃焼効率の改善に利用することを検討した。【解決手段】苦汁、稀土鉱石および、トルマリンの混合粉末を塗料として塗布・付着または、磁器に塗布し焼き付けたものを充填カラムとし燃焼機関の燃料系統に連結装着することによって燃焼効率１−３０％向上させることが可能となった。【特許請求の範囲】
【請求項１】
苦汁と稀土鉱石／トルマリンとよりなる燃焼機関の燃焼効率向上装置。
【請求項２】
燃焼機関の燃焼効率向上装置の苦汁、稀土鉱石／トルマリン成分量が各々、苦汁０−３０重量％、稀土鉱石０−１００重量％、トルマリンが０−５０重量％である請求項１記載の、燃焼機関の燃焼効率向上装置。
【請求項３】
請求項２の苦汁、稀土鉱石／トルマリンの混合粉末を両面粘着テープ・支持体に塗布・装着した燃焼機関の燃焼効率向上装置。
【請求項４】
請求項２の苦汁、稀土鉱石／トルマリンの混合粉末を磁器に塗布し焼き付けたものを充填カラムとし燃焼機関の燃料系統のホース部分に連結装着する燃焼効率向上装置。
【請求項５】
海面下２００メートル以上の深海から取水した深層海水、湧昇海水または、深層水を濃縮して得られる苦汁を利用して製造される請求項１、２、３および４記載の、燃焼機関の燃焼効率向上装置。
【発明の詳細な説明】
【０００１】
【産業上の利用分野】
この発明は、深層水（ｄｅｅｐ  ｌａｙｅｒ  ｗａｔｅｒ）［海面下２００メートル以上の深海から取水した深層海水（ｄｅｅｐ  ｓｅａ  ｗａｔｅｒ）、湧昇（ｕｐｗｅｌｌｉｎｇ）海水または、深層水（ｄｅｅｐ  ｌａｙｅｒ  ｗａｔｅｒ：地下陸水で、古代に陸封されたもの、または、深層海水が地下深層部に侵入した海水）］を濃縮して得られる苦汁（ｂｉｔｔｅｒｎ）を利用して製造される燃焼機関の燃焼効率向上装置に関するものである（湧昇：Ｂ．  Ｈ．  ＭｃＣｏｎｎａｕｇｈｅｙ，  Ｉｎｔｒｏｄｕｃｔｉｏｎ  ｔｏ  Ｍａｒｉｎｅ  Ｂｉｏｌｏｇｙ，  １０，  （１９７０，  Ｔｈｅ  Ｃ．  Ｖ．  Ｍｏｓｂｙ  Ｃｏｍｐａｎｙ，  Ｓａｉｎｔ  Ｌｏｕｉｓ，  ＵＳＡ））。ここで用いられる深層水はいずれも滞留時間が長く、また、食物連鎖の中で栄養分の連環消費がなされていない源海水であることが必要である。稀土鉱石および、トルマリンに含まれる、トリウム（Ｔｈ）、ラジウム（Ｒａ）の放射性壊変によって発生するα線、β線、残留核等の反跳エネルギーが空気中の水分と反応して水の化学構造［共有結合、イオン結合等を切断してマイナスイオン（ＯＨ−）、プラスイオン、遊離基（ｒａｄｉｃａｌ）等を発生する］や水素結合（ｈｙｄｒｏｇｅｎ  ｂｏｎｄ）、ファンデルワールス力（ｖａｎ  ｄｅｒ  Ｗａａｌｓ’ｓ  ｆｏｒｃｅ）を切断する効果を有し、空気取入口周辺に塗布装着することによって燃焼機関の燃焼効率向上を達成する装置の製造に関するものである。その際、苦汁成分が水和によって、水の結合やファンデルワールス力に影響を与え、化学構造変化やファンデルワールス力の切断、再生成に関与し、結果的に燃焼効率を向上させる効果を有する。
また、燃料系統（燃料タンク、燃料配管、気化器等の内面および／または、外面）に塗布装着することによって、燃料（ガス、ガソリン、重油、軽油、灯油、天然ガス、プロパンガス、アルコール、ジェット燃料、水素燃料、蒸気、石炭、石油、木炭、アセチレン等）の化学構造変化をもたらし、燃焼機関の燃焼効率向上を達成する装置の製造に関するものである。また、ラジエーター等熱交換機・冷却機関系統に塗布装着することによって、熱交換用冷媒（水、アルコール、グリセリン、エチレングリコール、ジグライム、ポリアルコール、ＤＭＳＯ、エーテル、ＰＣＢ、ナトリウム、フロンガス、ハロゲン化炭化水素）の化学構造変化をもたらし、燃焼機関の燃焼効率向上を達成する装置の製造に関するものである。
【０００２】
【従来の技術及び発明が解決しようとする課題】
稀土鉱石、トルマリン等に含まれるトリウム（Ｔｈ）、ウラン（Ｕ）系列核種等の作用により固気・固液界面近辺で遊離基、アニオン、カチオンの何れもが生成する。放射性壊変によって発生するα線、β線や、残留核（Ｒｎ等：数百ｅＶの反跳エネルギーを有する）は水等と反応して、その化学結合（結合エネルギー：数ｅＶ）を切断する。その結果ＯＨ−等のマイナスイオン（ａｎｉｏｎ）、プラスイオン（ｃａｔｉｏｎ）、遊離基（ｒａｄｉｃａｌ）等の化学種（ｃｈｅｍｉｃａｌ  ｓｐｅｃｉｅｓ）を発生する。
【０００３】
本発明者はマイナスイオン、プラスイオン、遊離基等の化学種の発生に関する諸問題を解決するため、苦汁、稀土鉱石、トルマリンの相互作用に着目して種々化学的検討を行った結果、本発明に到達したものである。
【０００４】
【課題を解決するための手段】
即ち、本発明の請求項１の発明は、苦汁、稀土鉱石および、トルマリンとよりなる燃焼機関の燃焼効率向上装置に関するものである。
【０００５】
本発明の請求項２の発明は、燃焼機関の燃焼効率向上装置の苦汁、稀土鉱石／トルマリン成分量が各々、苦汁０−３０重量％、稀土鉱石０−１００重量％、トルマリンが０−５０重量％である請求項１記載の、燃焼機関の燃焼効率向上装置に関するものである。
【０００６】
本発明の請求項３の発明は、請求項２の苦汁、稀土鉱石／トルマリンの混合粉末を両面粘着テープ・支持体に塗布・装着した燃焼機関の燃焼効率向上装置に関するものである。
【０００７】
本発明の請求項４の発明は、請求項２の苦汁、稀土鉱石／トルマリンの混合粉末を磁器に塗布し焼き付けたものを充填カラムとし燃焼機関の燃料系統のホース部分に連結装着する燃焼効率向上装置に関するものである。
【０００８】
本発明の請求項５の発明は、海面下２００メートル以上の深海から取水した深層海水、湧昇海水または、深層水を濃縮して得られる苦汁を利用して製造される請求項１、２、３および４記載の、燃焼機関の燃焼効率向上装置に関するものである。
【０００９】
【発明の実施の形態】
本発明の装置は、まず第１に、稀土鉱石等を利用したものであり、放射性壊変によって発生するα線、β線や、残留核と相互作用し、固気界面においては、空気と相互作用して効率よくマイナスイオン等の化学種を発生する燃焼機関の燃焼効率向上装置である。また、第２に、海面下２００メートル以上の深海から取水した深層海水）、湧昇海水または、深層水を濃縮して得られる苦汁の成分の水和（ｓｏｌｖａｔｉｏｎ）効果を利用した燃焼機関の燃焼効率向上装置である。
【００１０】
苦汁の効果については既に公知（ＰＡＴ．  ＵＳ６，２５４，８００Ｂ１，  特開平１０−１５０９６０，  １０−１５１４７２，  １０−１５２６８１  ）である。
【００１１】
通常、海洋の表層部に存在する海水のＩＣＰ分析は以下の通りである：  Ｎａ  １０７７０，  Ｍｇ  １２９０，  Ｓ  ９０５，  Ｃａ  ４１２，  Ｋ  ３８０，  Ｓｒ  ８，  Ｂ  ４．４４，  Ｓｉ  ２，  Ｌｉ  ０．１８，  Ｒｂ  ０．１２，  Ｍｏ  ０．０１，  Ｚｎ  ０．００４９，  Ａｓ  ０．００３７，  Ｕ  ０．００３３，  Ｖ  ０．００２５，  Ａｌ  ０．００２，  Ｆｅ  ０．００２，  Ｂａ０．００２，  Ｎｉ  ０．００１７，  Ｔｉ  ０．００１，  Ｃｓ  ０．０００４，  Ｃｒ  ０．０００３，  Ｓｂ  ０．０００２４，  Ｍｎ  ０．０００２，  Ｓｅ  ０．０００２，  Ｗ  ０．０００１，  Ｃｏ  ０．００００５，  Ｇｅ  ０．００００５，  Ｃｕ  ０．００００３，  Ｇａ  ０．００００３，  Ｚｒ  ０．００００３，  Ｔｌ  ０．００００２，  Ｂｉ  ０．００００２，  Ｎｂ  ０．００００１，  Ｓｎ  ０．００００１，  Ｐｂ  ０．００００１，  Ｂｅ  ０．０００００５６，  Ａｕ  ０．０００００４，  Ｌａ  ０．０００００３１，  Ｎｄ  ０．０００００２５，  Ｔａ  ０．０００００２，  Ｈｇ  ０．０００００２，  Ｃｅ  ０．０００００１２，  Ｃｄ  ０．００００００５，  Ｙ０．００００００１３，  Ａｇ  ０．０００００００６  （ｐｐｍ）。
【００１２】
海洋の深層部に存在する海水のＩＣＰ分析は以下の通りである：  Ｎａ  １１０５５，  Ｍｇ  １３２０，  Ｓ  ２６３６，  Ｃａ  ４１０，  Ｋ  ３７２，  Ｓｒ  ８．１，  Ｂ  ４．７，  Ｓｉ  ２．５，  Ｌｉ  ０．１８，  Ｒｂ  ０．１２，  Ｍｏ０．００５５，  Ｚｎ  ０．００２２，  Ａｓ  ０．００２６，  Ｖ  ０．００１，  Ａｌ  ０．００７８，  Ｆｅ  ０．０２，  Ｂａ  ０．００８，  Ｎｉ０．０００６，  Ｃｒ  ０．０００６，  Ｍｎ  ０．００１３，  Ｓｅ  ＜０．０００２，  Ｃｏ  ０．００００４，  Ｇｅ  ＜０．０１，  Ｃｕ  ０．０００１２，  Ｓｎ  ＜０．００００２，  Ｐｂ  ０．００００３，  Ｈｇ  ＜０．００００２，  Ｃｄ  ０．００００６  （ｐｐｍ）。
【００１３】
海洋深層水は、極地より深海溝に沈み込んだ海流が、長い滞留時間を経て回流する水であり、源流はアイルランド沖が有名であり、その他いくつか発見されている。その存在は、１９９１年に海水大循環ベルトコンベアモデルとしてＢｒｏｅｃｋｅｒによって提唱されたものである。海洋深層水の特徴は、表層水と異なり一般に、Ｂｅ，  Ｓｃ，  Ｔｉ，  Ｆｅ，  Ｎｉ，  Ｃｕ，  Ｚｎ，  Ｇａ，  Ｇｅ，  Ｓｅ，  Ｙ，  Ｚｙ，  Ｒｈ，  Ｐｄ，  Ａｇ，  Ｃｄ，  Ｂａ，  Ｈｇ，  Ｐｏ，Ｒｎ，  Ｒａ，  Ｌａ，  Ｐｒ，  Ｎｄ，  Ｓｍ，  Ｅｕ，  Ｇｄ，  Ｔｂ，  Ｄｙ，  Ｈｏ，  Ｅｒ，  Ｔｍ，  Ｙｂ，  Ｌｕ，  Ａｃ  等の存在比が高く、Ａｌ，  Ｍｎ，  Ｃｏ，  Ｉｎ，  Ｓｎ，  Ｔｅ，  Ｐｂ，  Ｂｉ，  Ｔｈ，  Ｐｕ，  Ａｍ等の存在比が低い。また、重同位元素の存在比が高い（野崎義行、現代海洋化学の展望、海洋、号外  Ｎｏ．８，  ５  （１９９５））。
【００１４】
苦汁成分の水和効果によって、活性化エネルギーすなわち、反応の自由エネルギー差（ΔＧ°：  ｓｔａｎｄａｒｄ  ｆｒｅｅ  ｅｎｅｒｇｙ  ｄｉｆｆｅｒｅｎｃｅ）を減少させることによってマイナスイオン等の化学種の生成量（収率）を向上させる相乗作用が発現する。水のクラスターの微細化は１７Ｏ−ＮＭＲ  の半値幅が１４０−１００  Ｈｚ  から  ４０−６０  Ｈｚ  に低下することによって認められる。また、ＩＲ  スペクトルで、１８００−６００  ｃｍ−１  近辺に広幅吸収帯が認められ、クラスター形成が認められる。
【００１５】
本装置を燃焼機関の空気取り入れ口近郊に塗布・装着することによって化学種の発生を促すとともに、酸素分子間のファンデルワールス力を断ち切り、酸素のクラスターを微細化することによって、燃焼効率を酸素の面から改善する。
【００１６】
本装置を燃焼機関の燃料系統近郊に塗布・装着することによって、たとえば、ガソリンの場合、構成分子間のファンデルワールス力を断ち切り、成分のクラスターを微細化する効果を有する。また、例えば、構成成分中の炭化水素中のＣ−Ｈ，Ｃ−Ｃ共有結合を解裂し、ラジカルやイオンを生成し、構成分子の励起をする効果を有する。これらは、いずれも燃焼効率を燃料の面から改善する。
【００１７】
本装置を燃焼機関の冷却機関系統の近傍に塗布・装着することによって、冷媒が水の場合、構成分子間の水素結合やファンデルワールス力を断ち切り、成分のクラスターを微細化する効果を有する。このことは、水の熱交換効率を向上させ、燃焼効率の向上に寄与するものである。
【００１８】
水のクラスターの微細化は１７Ｏ−ＮＭＲ  の半値幅が  ４０−６０  Ｈｚ  に低下することによって認められる。また、  ＩＲ  スペクトルで、１８００−６００  ｃｍ−１  近辺に広幅吸収帯が認められ、クラスター形成が認められる。
【００１９】
本発明で添加する稀土鉱石は、フェルグソン鉱石等であり、トリウム１．８％以下、ウラン０．６％以下である。放射能濃度は３７０Ｂｑ／ｇ以下で、核原料物質、核燃料物質及び原子炉の規制に関する法律（施行例第１９条）、電離放射線障害防止規制（労働省第４１号）で、いずれも対象外である。
【００２０】
本発明で添加するトルマリンは、電気石とも称されるものであり、その代表的な化学組成は、３（ＮａＸ３Ａｌ６（ＢＯ３）Ｓｉ６Ｏ１８（ＯＨＦ）４）（Ｘ＝Ｍｇ，  Ｆｅ，  Ｌｉ，  Ａｌ等）である（久保哲治郎、新しい水の科学と利用技術、３０３（１９９２））。
【００２１】
【実施例１】
以下、実施例により本発明を説明する。
苦汁３．０％、稀土鉱石２．５Ｋｇ、トルマリン７．５Ｋｇを１０Ｋｇ湿式ボールミルで２４０時間擦って粒子径２ミクロン以下に破砕する。得られたエマルジョンを脱水して乾燥粉末を得る。
【００２２】
得られた粉末をマルチチャンネル波高分析器によるγ線スペクトル測定したところ、ウラン系列核種とトリウム系列核種から放出されるγ線が検出された。ウラン系列核種では、親核種２３８Ｕの娘核種である２２６Ｒａ，  ２１４Ｐｂ，  ２１４Ｂｉから放出されるγ線が検出された。また、トリウム系列核種では親核種２３８Ｔｈの娘核種である２２８Ａｃ，  ２１２Ｐｂ，  ２１２Ｂｉ，  ２０８Ｔｌから放出されるγ線が検出された。これらの核種について放射能濃度および、放射平衡を仮定したときの系列親核種の質量濃度を計算した。
【００２３】
ウラン系列
核種  γ線のエネルギー（ＫｅＶ）  放射能濃度  放射平衡成立時Ｕ濃度（％）
２２６Ｒａ        １８６．０              ０．８９±０．２１      ０．００７５±０．００１７
２１４Ｐｂ        ３５２．０              ０．８８±０．０６      ０．００７４±０．０００５
２１４Ｂｉ        ６０９．３              ０．８６±０．０６      ０．００７１±０．０００５
【００２４】
トリウム系列
核種  γ線のエネルギー（ＫｅＶ）  放射能濃度  放射平衡成立時Ｔｈ濃度（％）
２２８Ａｃ      ９１１．２                ６．９±０．２      ０．１７±０．０５
２１２Ｐｂ      ３００．１                ６．８±０．６      ０．１７±０．０２
２１２Ｂｉ      ７２７．２                ６．４±０．５      ０．１６±０．０１
２０８Ｔｌ      ５８３．１                ２．６±０．０６      ０．１８±０．０４
【００２５】
これらの結果は、ウラン、トリウム濃度とも安全基準値の１／１００に収まっている。放射能濃度についても届出値（３７０Ｂｑ／ｇ）を下回るものである。
また、空気イオンカウンターにてマイナスイオン量を測定したところ、５，０００−１００００個／ｃｍ３であった。
【００２６】
【実施例２】
本実施例の苦汁、稀土鉱石／トルマリンの混合粉末（５００  ｍｇ）を両面粘着テープ等支持体（２２  ｍｍ  ｘ  ８０  ｍｍ  ｘ  １  ｍｍ）に塗布した燃焼機関の燃焼効率向上装置を２０００ｃｃ  ガソリン乗用車の燃料系統のホース部分に付着させて、同一コースで走行テストを繰り返した。高速道路における燃料消費は＋６．００％、一般道路における燃料消費は＋１４．０２％  改善された。
【００２７】
【実施例３】
本実施例の稀土鉱石／トルマリンの混合粉末（５００  ｍｇ）を両面粘着テープ等支持体（２２  ｍｍ  ｘ  ８０  ｍｍ  ｘ  １  ｍｍ）に塗布した燃焼機関の燃焼効率向上装置を２０００ｃｃガソリン乗用車のエンジン吸気管部分に付着させて、同一コースで走行テストを繰り返した。高速道路における燃料消費は＋２．６０％、一般道路における燃料消費は＋３．８２％  改善された。
【００２８】
【実施例４】
本実施例の稀土鉱石／トルマリンの混合粉末（５００  ｍｇ）を両面粘着テープ等支持体（２２  ｍｍ  ｘ  ８０  ｍｍ  ｘ  １  ｍｍ）に塗布した燃焼機関の燃焼効率向上装置を２０００ｃｃガソリン乗用車のエアクリーナー部分に付着させて、同一コースで走行テストを繰り返した。高速道路における燃料消費は＋２．２０％、一般道路における燃料消費は＋３．２０％  改善された。
【００２９】
【実施例５】
本実施例の稀土鉱石／トルマリンの混合粉末（５００  ｍｇ）を両面粘着テープ等支持体（２２  ｍｍ  ｘ  ８０  ｍｍ  ｘ  １  ｍｍ）に塗布した燃焼機関の燃焼効率向上装置を２０００ｃｃガソリン乗用車のラジエーター部分に付着させて、同一コースで走行テストを繰り返した。高速道路における燃料消費は＋１．１１％、一般道路における燃料消費は＋１．５４％  改善された。
【００３０】
【実施例６】
本実施例の稀土鉱石／トルマリンの混合粉末（５００  ｍｇ）を両面粘着テープ等支持体（２２  ｍｍ  ｘ  ８０  ｍｍ  ｘ  １  ｍｍ）に塗布した燃焼機関の燃焼効率向上装置を２８００ｃｃディーゼル商用車の燃料系統のホース部分に付着させて、同一コースで走行テストを繰り返した。高速道路における燃料消費は＋８．９５％、一般道路における燃料消費は＋２０．０３％  改善された。
【００３１】
【実施例７】
本実施例の稀土鉱石／トルマリンの混合粉末（５００  ｍｇ）を両面粘着テープ等支持体（２２  ｍｍ  ｘ  ８０  ｍｍ  ｘ  １  ｍｍ）に塗布した燃焼機関の燃焼効率向上装置を２８００ｃｃディーゼル商用車のエンジン吸気管部分に付着させて、同一コースで走行テストを繰り返した。高速道路における燃料消費は＋４．４３％、一般道路における燃料消費は＋６．７７％  改善された。
【００３２】
【実施例８】
本実施例の稀土鉱石／トルマリンの混合粉末（５００  ｍｇ）を両面粘着テープ等支持体（２２  ｍｍ  ｘ  ８０  ｍｍ  ｘ  １  ｍｍ）に塗布した燃焼機関の燃焼効率向上装置を２８００ｃｃディーゼル商用車のエアクリーナー部分に付着させて、同一コースで走行テストを繰り返した。高速道路における燃料消費は＋４．２４％、一般道路における燃料消費は＋６．５６％  改善された。
【００３３】
【実施例９】
本実施例の稀土鉱石／トルマリンの混合粉末（５００  ｍｇ）を両面粘着テープ等支持体（２２  ｍｍ  ｘ  ８０  ｍｍ  ｘ  １  ｍｍ）に塗布した燃焼機関の燃焼効率向上装置を２８００ｃｃディーゼル商用車のラジエーター部分に付着させて、同一コースで走行テストを繰り返した。高速道路における燃料消費は＋１．５６％、一般道路における燃料消費は＋２．７８％  改善された。
【００３４】
【実施例１０】
本実施例の稀土鉱石／トルマリンの混合粉末（５００  ｍｇ）を両面粘着テープ等支持体（２２  ｍｍ  ｘ  ８０  ｍｍ  ｘ  １  ｍｍ）に塗布した燃焼機関の燃焼効率向上装置を重油ボイラーの燃料ホース部分に付着させて、燃焼テストを繰り返した。燃料消費は＋２３．１４％  改善された。
【００３５】
【実施例１０】
本実施例の苦汁、稀土鉱石／トルマリンの混合粉末（５００  ｍｇ）を両面粘着テープ等支持体（２２  ｍｍ  ｘ  ８０  ｍｍ  ｘ  １  ｍｍ）に塗布した燃焼機関の燃焼効率向上装置をＦＦ式灯油ストーブの燃料ホース部分に付着させて、燃焼テストを繰り返した。燃料消費は＋２０．５１％  改善された。支持体の形状は、両面テープ付着のみならず、外套カラム式、充填カラム式、多孔質体塗布方式、ハニカム構造塗布・充填カラム式等様々な形状が考えられる。
【００３６】
【実施例１１】
海面下２００メートル以上の深海から取水した深層海水（ｄｅｅｐ  ｓｅａ  ｗａｔｅｒ）、湧昇（ｕｐｗｅｌｌｉｎｇ）海水または、深層水（ｄｅｅｐ  ｌａｙｅｒ  ｗａｔｅｒ：  地下陸水で、古代に陸封されたもの、または、深層海水が地下深層部に地層を通して侵入した海水）を直接構造化するには、本発明の放射線・マイナスイオン発生体と水を直接または、間接的に接触させることによって可能である。直接接触では、放射線・マイナスイオン発生体を充填タンク、充填カラム、濾過塔方式をとることが可能である。間接構造化では、深層水の流路または、槽に放射線・マイナスイオン発生体を近接することによって可能である。また、充填済みボトルや、レトルトパックを放射線・マイナスイオン発生体に近接することによっても可能である。苦汁／稀土鉱石／トルマリン／長石の混合物の形態は様々な形態が可能である。混合物を粗い粉末（１０μ−２５ｍｍ  Ｉ．Ｄ．）とすることが可能である。また、稀土鉱石／トルマリン／長石の混合物を微細粉末（１０μＩ．Ｄ．以下）とすることも可能である。これら粉末は、槽、配管等に塗布・付着したり、充填することができる。また、様々な形状の担体に塗布・付着・焼き付けすることができる。これら、様々な製法を単独または組み合わせることによって構造化深層水を製造することができる。
【００３７】
海面下２００メートル以上の深海から取水した深層海水（ｄｅｅｐ  ｓｅａ  ｗａｔｅｒ）、湧昇（ｕｐｗｅｌｌｉｎｇ）海水または、深層水（ｄｅｅｐ  ｌａｙｅｒ  ｗａｔｅｒ：  地下陸水で、古代に陸封されたもの、または、深層海水が地下深層部に地層を通して侵入した海水）から得られた純水（ｐｕｒｅ  ｗａｔｅｒ  ｂｙ  ｍｅｍｂｒａｎｅ  ｆｉｌｔｅｒ，  ＲＯ  ｆｉｌｔｅｒ，  ｉｏｎ  ｅｘｃｈａｎｇｅ  ｆｉｌｔｅｒ）・蒸留水（ｄｉｓｔｉｌｌｅｄ  ｗａｔｅｒ）、または、一般的な純水・蒸留水を直接構造化するには、本発明の放射線・マイナスイオン発生体と水を直接または、間接的に接触させることによって可能である。直接接触では、放射線・マイナスイオン発生体を充填タンク、充填カラム、濾過塔方式をとることが可能である。間接構造化では、深層水の流路または、槽に放射線・マイナスイオン発生体を近接することによって可能である。また、充填済みボトルや、レトルトパックを放射線・マイナスイオン発生体に近接することによっても可能である。苦汁／稀土鉱石／トルマリン／長石の混合物の形態は様々な形態が可能である。混合物を粗い粉末（１０μ−２５ｍｍ  Ｉ．Ｄ．）とすることが可能である。また、稀土鉱石／トルマリン／長石の混合物を微細粉末（１０μＩ．Ｄ．以下）とすることも可能である。これら粉末は、槽、配管等に塗布・付着したり、充填することができる。また、様々な形状の担体に塗布・付着・焼き付けすることができる。これら、様々な製法を単独または組み合わせることによって構造化純水・構造化蒸留水、構造化イオン交換水、構造化膜浸透水等を製造することができる。さらに、これら、様々な製法を単独または組み合わせることによって構造化深層水、構造化海洋深層水、構造化濃縮深層水、構造化温泉水、構造化ミネラルウォーター、構造化ボトルドウォーター、構造化化粧水、構造化（濃縮深層水）パーマ液、構造化（濃縮深層水）アルカリ助剤、構造化（濃縮深層水）酸性助剤を製造することができる。
【００３８】
放射線・マイナスイオン発生体と水を直接または、間接的に接触させた場合、水のクラスターの微細化は１７Ｏ−ＮＭＲ  の半値幅が  １００−１４０  Ｈｚ  から  ４０−６０  Ｈｚ  に低下することによって認められる。また、  ＩＲ  スペクトルで、１８００−６００  ｃｍ−１  近辺に広幅吸収帯が認められ、クラスター形成（構造化（ｓｔｒｕｃｔｕｒｉｚｅｄ））が認められる。（綿貫邦彦、久保田昌治監修、新しい水の科学と利用技術、２１７，  ２３７，  ２６３  サイエンスフォーラム（１９９２））
【００３９】
構造化の一般的な方法としては、電磁波照射（ｘ−ｒａｙ，  ＵＶ，  ＩＲ，  ｍｉｃｒｏｗａｖｅ，  ｒａｄｉｏｗａｖｅ）、粒子線照射（ｎｅｕｔｒｏｎ，  ｐｒｏｔｏｎ，  ｅｌｅｃｔｒｏｎ，  ｐｈｏｔｏｎ，  Ｒｎ，  α−ｒａｙ，  ｎｅｕｔｒｉｎｏ、崩壊核、放射性核）、電磁場照射、超伝導核磁気共鳴等によっても可能であり、深層水、濃縮深層水、稀釈水、純水、蒸留水等を直接的または／および、間接的にこれら各種照射をすることによって容易に構造化される（綿抜邦彦、久保田昌治監修、新しい水の科学と利用技術、（１９９２）サイエンスフォーラム）。しかし、いずれの方法によっても、本発明の放射線・マイナスイオン発生体または、苦汁／稀土鉱石／トルマリン／長石の混合物による構造化よりも、構造化の寄与は劣っている。
【００４０】
本文中［／］は［および、または］を意味する。［％］で特に指定なき場合は［重量％］とする。
【００４１】
【発明の効果】
本発明は苦汁、稀土鉱石を利用して製造される燃焼機関の燃焼効率向上装置に関するものであり、含まれる、トリウム（Ｔｈ）、ラジウム（Ｒａ）の放射性壊変によって発生するα線、β線、残留核等の反跳エネルギーを利用して、燃焼機関の燃料系統、熱交換系統、空気吸入系統に装着することによって、各系統を流れる媒体（空気、冷媒、燃料）の化学結合、ファンデルワールス力を切断し、各媒体の分子構造・クラスターを改変することによって燃焼効率の向上を図るものである。その際、苦汁に含まれる微量要素は水和によってクラスター微細化に貢献し、燃焼効率の向上に寄与する。